(57)【要約】【課題】      着物の袖をたくし上げる機能とアクセサリーとしての機能を備え、さらに、利便性を備えた着物用アクセサリーホルダーを提供する。【解決手段】  縦長形状をなす板状のベース部材２を覆う第１カバー部材１２に、第１カバー部材１２の上方部が露出する露出部１２ａ１を形成するように、第２カバー部材１３を配置し、これら第１と第２のカバー部材１２、１３の周縁部を一体に結合したホルダー本体を備えている。そして、この露出部１２ａ１に、一端部に把持具１０を備えた紐状部材８からなる袖寄せストラップ７と、装飾部材２３を備えたアクセサリーストラップ２０とを接続または着脱可能に接続した着物用アクセサリーホルダーである。さらに、第１カバー部材１２と第２カバー部材１３との間にポケット部１４を形成すると共に、露出部１２ａ１に接する部分をこのポケット部１４の開口部としている。【選択図】図１８
2008055116.tif 000002
【特許請求の範囲】
【請求項１】
縦長形状をなす板状のベース部材と、前記ベース部材を覆うカバー部材と、前記カバー部材と前記ベース部材を貫通する孔部からなる係止手段を備えたホルダー本体から構成されることを特徴とする着物用アクセサリーホルダー。
【請求項２】
縦長形状をなす板状のベース部材と、前記ベース部材を覆うカバー部材と、前記カバー部材に固着された１個または複数個のリング状部材からなる係止手段を備えたホルダー本体から構成されることを特徴とする着物用アクセサリーホルダー。
【請求項３】
縦長形状をなす板状のベース部材と、前記ベース部材を覆うカバー部材と、前記カバー部材と前記ベース部材を貫通する孔部と、前記孔部または前記孔部に係止された連結部材を介して接続された１個または複数個のリング状部材からなる係止手段を備えたホルダー本体から構成されることを特徴とする着物用アクセサリーホルダー。
【請求項４】
縦長形状をなす板状のベース部材と、前記ベース部材を覆う第１カバー部材と、
前記第１カバー部材の一方の面に向き合って、前記向き合った第１カバー部材の上方部が露出する露出部が形成されるように、前記第１カバー部材の周縁部と一体に結合される第２カバー部材と、
前記第１カバー部材と前記第２カバー部材との間に形成され、前記第２のカバー部材が前記露出部に接する部分を開口部としたポケット部と、
前記露出部に、前記第１カバー部材と前記ベース部材を貫通する孔部からなる係止手段を備えたホルダー本体から構成されることを特徴とする着物用アクセサリーホルダー。
【請求項５】
縦長形状をなす板状の第１ベース部材と、前記第１ベース部材を覆う第１カバー部材と、
縦長形状をなし、縦方向の長さを前記第１ベース部材より短くした板状の第２ベース部材と、前記第２ベース部材の全面を覆う第２カバー部材と、
前記第１カバー部材の一方の面に向き合って、前記向き合った第１カバー部材の上方部が露出する露出部が形成されるように、前記第１カバー部材と前記第２カバー部材との周縁部とを一体に結合して、前記第２のカバー部材が前記露出部に接する部分を開口部としたポケット部と、
前記露出部に、前記第１カバー部材と前記第１ベース部材を貫通する孔部からなる係止手段を備えたホルダー本体から構成されることを特徴とする着物用アクセサリーホルダー。
【請求項６】
前記露出部に、１個または複数個のリング状部材からなる係止手段を備えたホルダー本体から構成されることを特徴とする請求項４または請求項５に記載の着物用アクセサリーホルダー。
【請求項７】
前記ポケット部の下方に、前記ホルダー本体の側面部を開口部とした第２のポケット部を備えていることを特徴とする請求項４から請求項６のいずれかに記載の着物用アクセサリーホルダー。
【請求項８】
前記ホルダー本体の側面部に１個または複数個のリング状部材が固着されていることを特徴とする請求項１から請求項７のいずれかに記載の着物用アクセサリーホルダー。
【請求項９】
請求項１から請求項８のいずれかに記載のホルダー本体の係止手段に、把持具を備えた紐状部材からなる袖寄せストラップが係止または着脱可能に係止されていることを特徴とする着物用アクセサリーホルダー。
【請求項１０】
請求項１から請求項８のいずれかに記載のホルダー本体の係止手段に、把持具を備えた紐状部材からなる袖寄せストラップと、装飾部材を備えた紐状部材からなるアクセサリーストラップとが係止または着脱可能に係止されていることを特徴とする着物用アクセサリーホルダー。
【請求項１１】
前記把持具は、装飾部材が固着された装飾性を有する把持具とされていることを特徴とする請求項９または請求項１０に記載の着物用アクセサリーホルダー。
【請求項１２】
前記把持具は、光を反射する鏡面部を備えていることを特徴とする請求項９または請求項１０に記載の着物用アクセサリーホルダー。
【請求項１３】
前記把持具は、前記袖寄せストラップとの接続が着脱可能になされていることを特徴とする請求項９または請求項１０に記載の着物用アクセサリーホルダー。
【請求項１４】
前記アクセサリーストラップの前記装飾部材は、前記紐状部材に着脱可能に接続されていることを特徴とする請求項１０に記載の着物用アクセサリーホルダー。
【発明の詳細な説明】
【技術分野】
【０００１】  本発明は、着物を着用したときに、必要に応じて袖をたくし上げるための機能と、アクセサリーとしての機能と、さらに、小物を挿入するためのポケット部を設けることにより利便性を備えた着物用アクセサリーホルダーに関するものでる。
【背景技術】
【０００２】  従来から、日本古来の民族衣裳である和服（以下、着物という）は、着用したときに、袂や裾の扱い方に不馴れであると、化粧室での手洗い、食事、あるいは手荷物を持った状態での階段の昇り降り等において、袖の袂が床等に触れて、これら袂を汚すことがあった。【０００３】  一方、着物はその着付けが難しいことにより、冠婚葬祭等を除いて着物を着用することが行われなくなっている。特に、近年においては若年層の着物離れが著しい。そこで、この対策として、着物を着用した人（以下、着物装着者という）のファッション性や個性を発揮させるための手段が提案されている。例えば、下記の特許文献１に記載の考案が提案されている。また、着物の袖が邪魔にならないように、袖を把持するための袖把持具として特許文献２及び特許文献３に記載の発明や考案が提案されている。【０００４】
【特許文献１】  実用新案登録第３０８９７８６号公報
【特許文献２】  特開平８−２４６２１２号公報
【特許文献３】  登録実用新案公報第３０４００８４号公報
【０００５】  上記特許文献１に記載の考案には、襟元部分の装飾性を向上させることを目的として、可撓性を有する細長いベースシート部材の長手方向の一側縁に沿って飾体列を取付け、着物を着用したときに、このベースシート部材を着物の襟部あるいは帯によって押圧支持して、このベースシート部材を着脱自在に装着するようにした着物用アクセサリーが提案されている。【０００６】  上記特許文献２に記載の発明には、着物を着たときに袖が邪魔にならないようにすることを目的として、連結部の両端部に把持部を設けた着物袖止めが提案されている。さらに、特許文献２には、連結部の一方の端に帯の間に挟んで係止するための差し込み部を設けると共に、連結部の長さを調整自在にすることが記載されている。【０００７】  上記特許文献３に記載の考案には、着物用帯の巻層間に嵌入する差し入れ板の両側に、先端部に着物袖摘持具を備えた袖寄せ紐を取り付けた着物用袖把持具が提案されている。
【発明の開示】
【発明が解決しようとする課題】
【０００８】  上記特許文献１に記載の考案は、着物着用時の装飾性をさらに向上させることを目的としたものであって、他の機能、特に、着物を着用して必要な時に袖等をたくし上げる機能は備えていない。【０００９】  特許文献２に記載に発明は、着物を着用したときに袖がぶらついて邪魔にならないように、袖を止めておくための着物袖止めであって、袖（袂）をたくし上げる機能については開示されていない。さらに、両袖のそれぞれを止めるために、一端部に把持部を設けた二つの連結部を使用する構成になっている。【００１０】  上記特許文献３に記載の考案は、着物を着用して必要な時に袖等をたくし上げる機能は備えている。しかし、差し入れ板に固定された二つの袖寄せ紐のそれぞれの端部に、着物用袖把持具を取り付けた構成、すなわち、上記特許文献２に記載の発明と同様に、二つの袖寄せ紐を必要とする。さらに、特許文献３に記載の着物用袖把持具または袖寄せ紐には、装飾性を持たせるための構成について何ら開示されていない。特に、自分のお気に入りの装飾を施した袖寄せ紐、あるいはその他の装飾部材を着脱自在に取付け可能とした構成については開示されていない。【００１１】  そこで、本発明の目的は、現在のファッションは個性化、差別化、自己主張が要求されていることに着目し、着物をより多くの人に着用してもらうために、着物を着用したときに上記した個性化、差別化、自己主張等を行なうことができると共に、必要時には着物装着時の不便さに伴う袂等の汚れも防止し、さらに、利便性も向上させた着物用アクセサリーホルダーを提供することにある。
【課題を解決するための手段】
【００１２】  本発明は、縦長形状をなす板状のベース部材と、前記ベース部材を覆うカバー部材と、前記カバー部材と前記ベース部材を貫通する孔部からなる係止手段を備えたホルダー本体から構成される着物用アクセサリーホルダーである。【００１３】  さらに、本発明は、縦長形状をなす板状のベース部材と、前記ベース部材を覆うカバー部材と、前記カバー部材に固着された１個または複数個のリング状部材からなる係止手段を備えたホルダー本体から構成される着物用アクセサリーホルダーである。【００１４】  さらに、本発明は、縦長形状をなす板状のベース部材と、前記ベース部材を覆うカバー部材と、前記カバー部材と前記ベース部材を貫通する孔部と、前記孔部または前記孔部に係止された連結部材を介して接続された１個または複数個のリング状部材からなる係止手段を備えたホルダー本体から構成される着物用アクセサリーホルダーである。【００１５】  さらに、本発明は、縦長形状をなす板状のベース部材と、前記ベース部材を覆う第１カバー部材と、
前記第１カバー部材の一方の面に向き合って、前記向き合った第１カバー部材の上方部が露出する露出部が形成されるように、前記第１カバー部材の周縁部と一体に結合される第２カバー部材と、
前記第１カバー部材と前記第２カバー部材との間に形成され、前記第２のカバー部材が前記露出部に接する部分を開口部としたポケット部と、
前記露出部に、前記第１カバー部材と前記ベース部材を貫通する孔部からなる係止手段を備えたホルダー本体から構成される着物用アクセサリーホルダーである。【００１６】  さらに、本発明は、縦長形状をなす板状の第１ベース部材と、前記第１ベース部材を覆う第１カバー部材と、
縦長形状をなし、縦方向の長さを前記第１ベース部材より短くした板状の第２ベース部材と、前記第２ベース部材の全面を覆う第２カバー部材と、
前記第１カバー部材の一方の面に向き合って、前記向き合った第１カバー部材の上方部が露出する露出部が形成されるように、前記第１カバー部材と前記第２カバー部材との周縁部とを一体に結合すると共に、これら第１カバー部材と第２カバー部材との間に、前記第２のカバー部材が前記露出部に接する部分を開口部としたポケット部とを設け、さらに、前記露出部に、前記第１カバー部材と前記第１ベース部材を貫通する孔部からなる係止手段を備えたホルダー本体から構成される着物用アクセサリーホルダーである。【００１７】  さらに、本発明は、前記露出部に、１個または複数個のリング状部材からなる係止手段を備えたホルダー本体から構成される着物用アクセサリーホルダーである。【００１８】  さらに、本発明は、前記ポケット部の下方に、前記ホルダー本体の側面部を開口部とした第２のポケット部を備えている着物用アクセサリーホルダーである。【００１９】  さらに、本発明は、前記ホルダー本体の側面部に１個または複数個のリング状部材が固着されている着物用アクセサリーホルダーである。【００２０】  さらに、本発明は、前記ホルダー本体に設けた係止手段に、把持具を備えた紐状部材からなる袖寄せストラップが係止または着脱可能に係止されている着物用アクセサリーホルダーである。【００２１】  さらに、本発明は、前記ホルダー本体に設けた係止手段に、把持具を備えた紐状部材からなる袖寄せストラップと、装飾部材を備えた紐状部材からなるアクセサリーストラップとが係止または着脱可能に係止されている着物用アクセサリーホルダーである。【００２２】  さらに、本発明は、前記把持具は、装飾部材が固着された装飾性を有する把持具とされている着物用アクセサリーホルダーである。【００２３】  さらに、本発明は、前記把持具は、光を反射する鏡面部を備えている着物用アクセサリーホルダーである。
なお、この光を反射する鏡面部とは、光を反射して手鏡としての機能を有していることを示す。【００２４】  さらに、本発明は、前記把持具は、前記袖寄せストラップとの接続が着脱可能になされている着物用アクセサリーホルダーである。【００２５】  さらに、本発明は、前記アクセサリーストラップの前記装飾部材は、前記紐状部材に着脱可能に接続されている着物用アクセサリーホルダーである。【００２６】  上記のような構成である本発明の着物用アクセサリーホルダーは、着物を着用した後、主として、ホルダー本体を帯の巻帯の層間に差し込んだ状態で使用する。そして、袖をたくし上げる必要が生じたときに、例えば、手で袖を持ち上げ、適度な長さを有する袖寄せストラップに接続されている把持具により、袖の下方部を把持する。この操作により、袖の袂を含む下部を適度な高さに、身体の前側、あるいは後側にたくし上げて保持することができるので、袖の袂などが床等に触れて汚すことを防ぐことが可能になる。このとき、身体の後側に袖をたくし上げる操作を行なう場合には、袖寄せストラップの一端部に着脱自在に係止されている把持具を袖寄せストラップから外し、この外した把持具で身体の後ろ側にたくし上げた両袖の下端部等を把持するようにしてもよい。【００２７】  なお、本発明の着物用アクセサリーホルダーを構成するホルダー本体は、着物を着用した後に帯の巻帯の層間の他に、着物の襟の内側に差し込んだ状態で使用することも可能である。さらに、着物の他に、洋服を着用したときにも、主として、本発明のアクセサリー機能を発揮するために使用することもできる。
【発明の効果】
【００２８】  本発明の着物用アクセサリーホルダーは、次のような効果を有している。
（１）本発明を構成するホルダー本体に、着物の袖をたくし上げるための把持具を備えた袖寄せストラップと、アクセサリー効果を発揮する装飾部材を取り付けたアクセサリーストラップとを、ホルダー本体の係止手段に着脱可能に係止することができるようにしている。これにより、着物装着者は、着物や帯の柄模様に合わせたデザインや装飾部材を取り付けた袖寄せストラップとアクセサリーストラップとを、このホルダー本体に設けた係止手段に着脱自在に係止することができるようになる。従って、本発明は、着物装着者が本発明の着物用アクセサリーホルダーを巻帯の層間等に差し込んだとき、着物装着者の個性をより発揮させるための装飾機能と、必要なときに袖の袂等をたくし上げる機能とを備えた着物用アクセサリーホルダーを提供することが可能になる。【００２９】  （２）カバー部材の内部に、縦長形状をなし、かつ適度な硬さを有するベース部材を挿入しているので、帯を締めた後に、本発明の着物用アクセサリーホルダーを変形させることなく巻帯の層間に差し込むことができる。また、カバー部材は、その表面がすべり易い布地を使用することにより、巻帯の層間に容易に差し込むことができるようになる。【００３０】  （３）着物用アクセサリーホルダーを構成するカバー部材の内側には、ホルダー本体の上方部に開口部を有するポケット部を設けている。このポケット部は、電車や地下鉄などの乗車カードを含む各種のカード類、切符、小銭、鍵、リップグロス、等の小物を収納しておくために使用することができる。これにより、着物を着用したときに、これらの小物をハンドバッグではなく、このポケット部に収納することができるので、利便性に富んだ着物用アクセサリーホルダーを提供することができる。また、このポケット部は、芯材となるベース部材に沿って形成されているので、ポケット部に小物を入れてもホルダー本体の変形を防止することができる。【００３１】  （４）さらに、上記ポケット部の下方部に第２のポケット部を設けることにより、より利便性を向上させた着物用アクセサリーホルダーを提供することができる。【００３２】  （５）袖寄せストラップの先端部に接続する把持具は、ピンチ等から構成することができる。そして、この一つのピンチにより、両袖の下方部を把持して袖寄せストラップにより両袖の袂をたくし上げることができる。従って、本発明においては、ピンチを接続した袖寄せストラップは、ホルダー本体に一つ係止するのみでよい。【００３３】  （６）把持具として使用するピンチ等は、その外側に面する平坦部に、光を反射する面を形成することにより、この平坦部を手鏡としての機能を発揮させることができる。すなわち、巻帯の層間に本発明の着物用アクセサリーホルダーを差し込んだ後、袖寄せストラップを、袖をたくし上げるために使用していないときには、この把持具の平坦部を小さな手鏡として用いることができる。これにより、本発明は、着物装着者にとってその利便性を一層高めた着物用アクセサリーホルダーを提供することができる。【００３４】  （７）ホルダー本体の側面部に１個または複数個のリング状部材を固着した構成にすることにより、このリング状部材に着物装着者が所有しているネックレス等の他の装飾部材を係止することができる。これにより、着物装着者の個性をより発揮することができる着物用アクセサリーホルダーを提供することができる。
【発明を実施するための最良の形態】
【００３５】  以下、本発明の実施の形態を図面に基づいて説明する。図１は、本発明の着物用アクセサリーホルダーとなるホルダー本体の正面図、図２は図１のＡ−Ａ線の断面図、図３は本発明の着物用アクセサリーホルダーにおいて、芯材となるベース部材の形状を示す正面図である。図１に示すホルダー本体１ａは、本発明の基本的な構成となる第１の実施形態を示すものである。【００３６】  図１〜図３において、１ａは本発明の第１の実施形態を示すホルダー本体を示す。２はベース部材（図１では点線で示している）である。ベース部材２は、ホルダー本体１ａの変形を防止するための芯材の機能を果たす部材となる。ベース部材２は適度な硬さと、若干の可撓性を備えている部材、例えば、薄板状のアクリル系樹脂等の合成樹脂、あるいは皮、合成皮革、厚紙、等を使用する。３はベース部材２の全面を覆うカバー部材である。【００３７】  ベース部材２の形状は、図３に示すように平面視で縦長の平面形状をなし、その平面形状は下方部２ａの幅を上方部２ｂの幅より小さくする。また、ベース部材２の下方部２ａの端部の平面形状は円弧状にしている。同様に、ベース部材２の上方部２ｂの端部の平面形状も円弧状、または上端部と側面部との角部を円弧形状にする。なお、ベース部材２の平面形状は、その下方部２ａと上方部２ｂの幅を同一またはほぼ同一にしてもよいが、ホルダー本体１ａは、巻帯の上端部からこの巻帯の層間に差し込んで使用するので、上記のように下方部２ａの幅を上方部２ｂの幅より小さくすることが望ましい。【００３８】  カバー部材３は、ベース部材２の全面を覆い、かつ、ベース部材２の表裏の平面部と側面部とに密着するように形成されている。カバー部材３は、布製の材質から構成することが望ましい。なお、図２に示すように、カバー部材３は、ベース部材２の一方の平面部に密着する前側カバー部材４と、ベース部材２の他方の平面部に密着する後側カバー部材５とから構成される。そして、カバー部材３は、これら前側カバー部材４と後側カバー部材５との間にベース部材２の全面が密着して覆われるように、前側カバー部材４と後側カバー部材５の周縁部を糸で縫い合わせて一体化した構成になっている。これにより、平面視でホルダー本体１ａの下方部の幅（Ｗ１）を、上方部の幅（Ｗ２）より小さくすることができるので、ホルダー本体１ａを巻帯の層間に差し込む操作を容易にすることができる。【００３９】  なお、前側カバー部材４と後側カバー部材５から構成されるカバー部材３は、その表面部は滑り易い布地を使用することが望ましい。この理由は、ホルダー本体１ａは巻帯の層間に差し込んで（挿入して）使用するため、ホルダー本体１ａをこの巻帯の層間に差し込む操作を容易にする必要があるからである。この滑り易い布地としては、繻子（しゅす）のようにすべり易い布地であって、さらに、その表面部に金糸または銀糸を用いた装飾性を有する布を使用することが望ましい。これにより、ホルダー本体１ａに装飾性を持たせるようにする。【００４０】  図１に示すように、ベース部材２を密着した状態で覆っているカバー部材３の上端部３ｂの近傍には、孔部６を設けている。この孔部６は、後記する袖寄せストラップ、およびアクセサリーストラップを係止、または着脱可能に係止するための係止手段となる。なお、孔部６は、前側カバー部材４、ベース部材２、後側カバー部材５を貫通するように設け、その平面形状は半円形の他に、円形、楕円形状、等の形状にしてもよい。また、孔部６の内周面には金めっき等を施した金属製リング部材６ａを嵌装して、孔部６の内周面及び孔部６に面するカバー部材３を補強する。【００４１】  なお、図１に示すホルダー本体１ａにおいて、その平面形状は、使用者の好みにより任意の形状にすることも可能である。しかし、前記したように、ホルダー本体１ａは、主として着物を着用したときに巻帯の層間に差し込んだ状態で使用するため、その平面形状は図１に示すように、基本的には縦長とし、下方部３ａと上方部３ｂの横幅Ｗ１、Ｗ２はほぼ同一にしてもよいが、下方部３ａの幅Ｗ１が上方部３ｂの幅Ｗ２よりも小さくして、巻帯の層間に差し込み易くすることが望ましい。また、縦長方向の長さＬは３〜２０ｃｍ、幅Ｗ１とＷ２は１〜８ｃｍ程度の範囲で適切に設定するとよい。【００４２】  さらに、ホルダー本体１ａを巻帯の層間に差し込むときに、このホルダー本体１ａが折れ曲がらないように、ベース部材２は適度な硬さを有する部材を使用するようにする。また、ホルダー本体１ａを巻帯の層間に差し込んだときに、ベース部材２は巻帯の円弧状形状に倣うように若干変形する適度な可撓性を備えている部材を用いるようにしてもよい。【００４３】  上記した本発明の第１の実施形態となるホルダー本体１ａは、ベース部材２と、カバー部材３と、孔部６からなる係止手段とから構成される。そして、この第１の実施形態を示すホルダー本体１ａは、例えば、次の（手順１）〜（手順３）に記載の方法により製造することができる。【００４４】（手順１）
まず、アクリル系樹脂等からなる薄板材に、プレス加工を施してベース部材２を製造する。【００４５】（手順２）
次に、薄板状のベース部材２について、その表裏の平面部に、それぞれ前側カバー部材４と後側カバー部材５を覆った状態にして、これら前側カバー部材４と後側カバー部材５の周縁部を糸で縫い合せて、ベース部材２の表裏の平面部及び側面部が前側カバー部材４と後側カバー部材５に密着されるようにする。このとき、前側カバー部材４と後側カバー部材５の表側を対向させて、その周縁部の所定長さについて袋縫いしたカバー部材３を製作する。続いて、この前側カバー部材４と後側カバー部材５の表側を外側に出し、続いて、ベース部材２を前側カバー部材４と後側カバー部材５との間に挿入し、次に、前側カバー部材４と後側カバー部材５の残りの周縁部を縫い合わせる等、適切な縫い方を採用するとよい。【００４６】（手順３）
続いて、ベース部材２が介在しているカバー部材３（ホルダー本体１ａ）の上端部３ｂ近傍に孔部６を穿孔する。このとき、穿孔工具により、孔部６を穿孔すると共に、孔部６の内周面に装飾性を有する金属製の補強リング６ａを嵌着して孔部６の内面外周部を補強する。これにより、ホルダー本体１ａを製造することができる。【００４７】  なお、上記した（手順２）においては、次のような方法を採用してもよい。すなわち、後側カバー部材５の内側に裏生地部材を配置し、この後側カバー部材５と裏生地部材の間にベース部材２が包含された状態で、後側カバー部材５と裏生地部材とを縫い合わせる。続いて、後側カバー部材５と前側カバー部材４とを糸で縫い合わせるようにする。【００４８】  上記構成のホルダー本体１ａは、前側カバー部材４および後側カバー部材５として、装飾性ある柄を備えた布を用い、かつ、孔部６に後記する袖寄せストラップ、あるいはアクセサリーストラップを着脱可能に係止する機能を備えている。従って、ホルダー本体１ａは、商品としての使用価値を十分有しているので、本発明の着物用アクセサリーホルダーとして製造し、販売するが可能になる。【００４９】  続いて、本発明の第２の実施形態を図４〜図５に基づいて説明する。第２の実施形態を示す着物用アクセサリーホルダーＨ１は、図１に示すホルダー本体１ａの孔部６に、一つの袖寄せストラップ７を係止したことに特徴がある。この袖寄せストラップ７は、着物の袖の袂をたくし上げるために使用するものである。なお、第２の実施の形態においては、ホルダー本体１ａの孔部６に、袖寄せストラップ７を予め固着した状態で製造したことを示している。【００５０】  図４に示す袖寄せストラップ７は、紐状部材８の一端部にリング部材９を接続し、さらに紐状部材８の他端部には把持具１０を接続した構成からなっている。紐状部材８は、強靭、かつ十分な屈曲性を備えた糸状の合成繊維等からなり、１０〜３０ｃｍ程度の長さを有するようにする。また、この紐状部材８は、装飾性を向上させるために、金糸または銀糸を含ませた部材、鎖状部材、あるいはライトストーンやキュービックジルコニア等を嵌め込んだ装飾性を有する紐状の部材を使用することがより好ましい。【００５１】  紐状部材８の長さを１０〜３０ｃｍ程度の長さにする理由は、次の通りである。着物用アクセサリーホルダーＨ１を巻帯の層間に差し込んで、必要時に左右両方の袖の下端部（袂）またはその近傍を把持具１０で把持（挟着）して、身体の前または後ろ側にたくし上げるためには、１０〜３０ｃｍ程度の長さを必要とするからである。【００５２】  リング部材９は、強靭、かつ十分な屈曲性を備えた糸状の合成繊維等を用い、紐状部材８の端部に強固に接続する。そして、孔部６に袖寄せストラップ７を係止するときには、リング部材９を孔部６に通し、続いて、孔部６を通過したリング部材９のリング内に把持具１０を通す操作を行なう。なお、リング部材９の長さは、５ｃｍ程度設ければ十分である。また、袖寄せストラップ７を孔部６に係止する手段は、リング部材９を接続していない紐状部材８の端部を孔部６に強固に接続して固着し、予め、孔部６に紐状部材８が接続された構成にしてもよい。【００５３】  紐���部材８の一端部に接続する把持具１０は、一対の把持部材１０ａ、１０ｂと、これら把持部材１０ａと１０ｂを連結する連結部材１０ｄ（図１７参照）と、バネ材１０ｃ（図１７参照）から構成される小形のピンチからなっている。そして、把持部材１０ｂの基部１０ｂ１を指先で押圧すると、バネ材１０ｃを圧縮して２個の把持部材１０ａと１０ｂの先端部が開くようになっている。この把持具１０は、前記したように、着物装着者が左右の袖の袂をたくし上げる必要が生じたときに、この左右両方の袖の下端部またはその近傍を把持するために使用するものである。【００５４】  なお、把持具１０を構成する一方の把持部材の外側表面部には、図５に示すように、この外側表面部を覆う大きさを備えた造花、あるいはアクリル樹脂に金粉や図柄模様を施した装飾部材１１を接着等により固着してもよい。このように、把持具１０に装飾部材１１を取り付けると、把持具１０で袖を挟着してたくし上げたときに、直接、他人が把持具１０を認識することができなくなるので、他人を気にすることなく安心して着物の袂をたくし上げることができるようになる。【００５５】  また、本発明においては、把持具１０に予め種々の装飾部材１１を取り付けた袖寄せストラップ７を製造して販売するようにしてもよい。これにより、着物装着者は、好みの柄模様を有する第１の実施形態のホルダー本体１ａと袖寄せストラップ７を購入し、ホルダー本体１ａの孔部６に袖寄せストラップ７を着脱可能に係止することにより、個性をより発揮することができるようになる。【００５６】  続いて、本発明の第３の実施形態を図６〜図８に基づいて説明する。第３の実施形態を示すホルダー本体１ｂは、乗車カード等の各種のカード類、切符、小銭、鍵、リップグロス、等の小物、等の小物を入れるためのポケット部を設けたことに特徴がある。【００５７】  第３の実施の形態となるホルダー１ｂは、板状のベース部材２を覆う第１カバー部材１２と、この第１カバー部材１２の一方の平面部に対向するように縫い合わされた第２カバー部材１３を備え、この第１カバー部材１２と第２カバー部材１３との間に、深さＬ２のポケット部１４を設けた構成にしている。なお、図６に示す平面図においては、ポケット部１４は目視することができないので、ポケット部１４は点線で示している。【００５８】  図７に示す第３の実施形態の拡大断面図において、第１カバー部材１２は、前側部材１２ａと後側部材１２ｂと、これら前側部材１２ａと後側部材１２ｂとの間にベース部材２が密着した状態で包含されるように、前側部材１２ａと後側部材１２ｂとの周縁部を糸で縫い合わせて一体化した構成にしている。そして、ホルダー本体１ｂは、この第１カバー部材１２と第２カバー部材１３との間に、ポケット部１４を形成するように、第１カバー部材１２と第２カバー部材１３との周縁部を縫い合わせて、ポケット部１４の入口となる入口（開口）部１４ａを、第２カバー部材１３の上端部に形成した構造にしている。なお、１４ｂは、ポケット部１４の底部を示す。【００５９】  ポケット部１４の入口部１４ａは、ポケット部１４への小物の出し入れを容易にするために、第１カバー部材１２の上端部から長さＬ１（Ｌ１は１〜３ｃｍ���度）ほど離れた下方位置に設けている。なお、図７に示すように、第２カバー部材１３は、その内側にポケット部１４となる空間部を形成するために、横方向の長さ（図１に示すＷ１方向）に若干余裕を持たせた寸法にする。また、図６に示すように、ポケット部１４の入口部１４ａの上方は、第１カバー部材１２の前側部材１２ａが露出する露出部１２ａ１を形成している。従って、第１カバー部材１２となる前側部材１２ａと後側部材１２ｂ、および第２カバー部材１３は、見栄えを良くするために、装飾性を有し、さらに、前記したように、その表面部がすべり易い繻子（しゅす）等の布製生地を使用するようにする。【００６０】  上記した第３の実施形態を示すホルダー本体１ｂは、次の（手順４）〜（手順６）に記載の方法により製造することができる。【００６１】（手順４）
第１カバー部材１２を構成する後側部材１２ｂと前側部材１２ａとを対向して配置し、この後側カバー部材１２ｂと前側部材１２ａとの間にベース部材２が包含された状態で、これら後側カバー部材１２ｂと前側部材１２ａとを、前記した手順２と同様の方法により糸で縫い合わせる。このとき、縫い合わされた後側カバー部材１２ｂと前側部材１２ａとは、ベース部材２の表裏の平面部と側面部に密着するようにする。【００６２】（手順５）
続いて、ベース部材２を密着固定した第１カバー部材１２に、第２カバー部材１３を対向させた状態にして、これら第１カバー部材１２と第２カバー部材１３の周縁部を糸で縫い合わせる。このとき、前記したように、第２カバー部材１３のＬ方向（縦長方向）の寸法は、第１カバー部材１２の寸法より短くして、前側部材１２ａの上方部には露出部１２ａ１が形成されるようにする。さらに、第２カバー部材１３の上端部であってポケット部１４の入口となる入口部１４ａは、前側部材１２ａと糸で縫い合わせないようにする。【００６３】  なお、予め、図８に示すように、第２カバー部材１３の裏側（ポケット部１４側）のほぼ全面に接着芯地１３ａを貼り付けて、第２カバー部材１３に張りを持たせた後、第１カバー部材１２と第２カバー部材１３とを対向させてその周辺部を糸で縫い合わせるようにしてもよい。このように、第２カバー部材１３はその裏側に接着芯地１３ａを貼り付けた構成にすると、第２カバー部材１３に強度と張りを持たせることができるので、ポケット部１４に小物の挿入と取り出しを行なっても、第２カバー部材１３の形がくずれない効果が生じる。なお、接着芯地１３ａは、布地の一方の面に接着性樹脂が固着された部材であって、第２カバー部材１３を補強して張りを持たせるような接着芯地を使用する。【００６４】（手順６）
続いて、ポケット部１４の底部を形成するために、第２カバー部材１３と前側部材１２ａとを直線状に縫い合わせてポケット部１４の底部１４ｂを形成する。次に、露出部１２ａ１の上端部近傍に孔部６を穿孔する。このとき、穿孔工具により、孔部６を穿孔すると共に、孔部６の内周面に補強リング６ａを嵌着する。このようにして、図６に示すホルダー本体１ｂを製造することができる。【００６５】  上記した本発明の第３の実施形態は、小物を入れるためのポケット部１４を設けることにより利便性を向上させたものである。そして、ポケット部１４の入口部１４ａの位置は、第１カバー部材１２の上端部から長さＬ１ほど離れた下方位置に設けているので、ポケット部１４に小物の出し入れの操作を容易にすることができる。
なお、ポケット部１４の入口部１４ａの向きは、図６に示すように平面視で水平方向になるように形成してもよいが、水平方向に対して若干傾斜するように形成するか、入口部１４ａを緩やかな凹状、あるいは凸状に形成してもよい。また、ポケット部１４の底部１４ｂは、工業ミシン等を使用して第２カバー部材１３と、カバー部材２と、第１カバー部材１２とを同時に糸で縫い合わせてもよい。【００６６】  上記した本発明の第３の実施形態において設けたポケット部１４は、ベース部材２と第１カバー部材１２（前側部材１２ａ）との間に設けてもよい。さらに、予め裏生地等で袋状のポケット部を作成しておき、このポケット部を第１カバー部材１２と第２カバー部材１３との間に挿入した状態で、図６に示すように入口部１４ａを備えたポケット部１４を形成するようにしてもよい。【００６７】  さらに、ポケット部１４の幅と深さ寸法は、このポケット部１４に入れる小物、例えば、前記した乗車カード等の各種のカード類、切符、小銭、鍵、リップグロス、等の大きさに合わせて、予め数種類の幅と深さ寸法を有するポッケト部１４を備えたホルダー本体１ｂを製造するようにしてもよい。そして、これらポッケト部１４の大きさに合わせて、ホルダー本体１ｂの幅Ｗ１及びＷ２と縦長方向の長さＬについても適切な寸法を設定するようにする。【００６８】  上記構成のホルダー本体１ｂは、装飾性を有し、かつ、孔部６に袖寄せストラップ７、あるいは、後記するアクセサリーストラップを着脱可能に係止する機能を備え、商品としての価値を十分有している。従って、ホルダー本体１ｂのみを単体で本発明の着物用アクセサリーホルダーとして製造し、販売することが可能になる。【００６９】  続いて、本発明の第４の実施形態を図９〜図１２に基づいて説明する。第４の実施形態を示すホルダー本体１ｃは、上記した第３の実施の形態と同様にポケット部を設けると共に、ホルダー本体１ｃ内に芯材となる２個のベース部材を配設し、これら２個のベース部材の間にこのポケット部を設けたことに特徴がある。【００７０】  第４の実施形態となるホルダー本体１ｃは、その断面の構成を図１０に示すように、第１ベース部材１５ａの表面を覆う第１カバー部材１２と、第２ベース部材１５ｂの表面を覆う第２カバー部材１６とを、対向して配置してその周縁部を糸で縫い合わせると共に、第１カバー部材１２と第２カバー部材１６との間にポケット部１４を形成した構成にしている。また、図９に示すように、ポケット部１４の入口部１４ａは、第２カバー部材１６の上端部を開放した状態にすることにより形成し、入口部１４ａの上方には第１カバー部材１２の前側部材１２ａが露出する露出部１２ａ１が形成されるようにする。なお、第１カバー部材１２と第２カバー部材１６は、前記したように、繻子（しゅす）のようにすべり易い布地であって、さらに、その表面部に金糸または銀糸を用いた装飾性を有する布を使用する。【００７１】  図１１〜図１２は、第４の実施形態を構成する第１ベース部材１５ａと、第２ベース部材１５ｂの平面形状を示す。平面視において、第２ベース部材１５ｂの上端部には、ポケット部１４の入口部１４ａの形状と同一、またはほぼ同一の形状をなす直線状部１５ｂ１を形成する。そして、第２ベース部材１５ｂの形状は、この直線状部１５ｂ１の下方部は、第１ベース部材１５ａの形状と同一、またはほぼ同一の形状になるようにする。なお、第１ベース部材１５ａと第２ベース部材１５ｂの材質は、前記したベース部材２と同様に、適度な硬さと可撓性を備えている薄板状のアクリル系樹脂等の合成樹脂、あるいは皮、合成皮革、厚紙等から構成する。【００７２】  また、この第２ベース部材１５ｂの断面形状は、若干外側に向かって凸状をなす湾曲形状にすると共に、その厚さは第１ベース部材１５ａの厚さより薄くして、ポケット部１４に小物を挿入したときにポケット部１４が前方に若干膨らむようにするとよい。これにより、ポケット部１４への小物の出し入れの操作を容易にすることができる。【００７３】  上記した第４の実施形態を示す着物用アクセサリーホルダー１ｃは、次の（手順７）〜（手順１１）に記載の方法により製造することができる。【００７４】（手順７）
第１カバー部材１２を構成する後側部材１２ｂと前側部材１２ａを対向して配置し、この後側部材１２ｂと前側部材１２ａとの間に第１ベース部材１５ａが包含された状態で、後側部材１２ｂと前側部材１２ａとの周縁部を前記した手順２と同様の方法により糸で縫い合わせる。このとき、縫い合わされた後側部材１２ｂと前側部材１２ａとは、それぞれ第１ベース部材１５ａの平面部と側面部に密着するようにする。【００７５】（手順８）
第２カバー部材１６を構成する後側部材１６ｂと前側部材１６ａを対向して配置し、この後側部材１６ｂと前側部材１６ａとの間に第２ベース部材１５ｂが包含された状態で、後側部材１６ｂと前側部材１６ａとの周縁部を前記した手順２と同様の方法により糸で縫い合わせる。このとき、縫い合わされた後側部材１６ｂと前側部材１６ａとは、それぞれ第２ベース部材１５ｂの平面部と側面部に密着するようにする。【００７６】（手順９）
上記手順８により製作した第２ベース部材１５ｂを包含している第２カバー部材１６を、加熱冶具に挿入し、樹脂製の第２ベース部材１５ｂを図１０に示すように若干湾曲させた状態で、適度な温度で所定時間加熱する。そして、所定時間加熱した後、第２カバー部材１６を冷却することにより、断面形状が若干外側に湾曲した第２ベース部材１５ｂを挿入した第２カバー部材１６を得ることができる。このとき、第２ベース部材１５ｂと後側部材１６ｂとを接着剤により接着させるようにしてもよい。また、第２ベース部材１５ｂは、予め断面形状が若干湾曲したものを使用してもよい。【００７７】（手順１０）
第１カバー部材１２と第２カバー部材１６とを対向させた状態で、第１カバー部材１２と第２カバー部材１６の周縁部を糸で縫い合わせる。このとき、第１カバー部材１２の前側部材１２ａの上方部に、露出部１２ａ１が形成され、かつ、第２カバー部材１６の上端部は、ポケット部１４の入口部１４ａが形成されるようにする。【００７８】（手順１１）
続いて、ポケット部１４の底部１４ｂを形成する。ポケット部１４の底部１４ｂを形成する方法は、例えば、工業用ミシンを使用して第１カバー部材１２と、第１ベース部材１５ａと、第２ベース部材１５ｂと、第２カバー部材１６とを同時に糸で縫い合わせて形成するようにする。次に、露出部１２ａ１の上端部近傍に孔部６を穿孔する。このとき、穿孔工具により、孔部６を穿孔すると共に、孔部６の内周面に補強リング６ａを嵌着するようにする。このようにして、図９に示すホルダー本体１ｃを製造することができる。【００７９】  なお、上記した第４の実施形態においても、予め裏生地等で袋状のポケット部を作成しておき、このポケット部を第１カバー部材１２と第２カバー部材１６との間に挿入した状態で、図９に示すように入口部１４ａを備えたポケット部１４を形成するようにしてもよい。【００８０】  ホルダー本体１ｃは、第１ベース部材１５ａと第２ベース部材１５ｂとの間にポケット部１４を形成しているので、ポケット部１４を小物入れとして多数回にわたる使用を行っても、ホルダー本体１ｃの型ズレが生じないという効果が生じる。【００８１】  上記した本発明の第４の実施形態であるホルダー本体１ｃは、装飾性を有し、かつ、孔部６に袖寄せストラップ７、あるいは、後記するアクセサリーストラップを着脱可能に係止する機能を備え、商品としての価値を有しているので、本発明の着物用アクセサリーホルダーとして製造し、販売することが可能になる。【００８２】  続いて、本発明の第５の実施形態を図１３に基づいて説明する。第５の実施形態を示す着物用アクセサリーホルダーＨ２は、図６または図９に示す本発明の第３または第４の実施形態を示すホルダー本体１ｂまたは１ｃの孔部６に、前記した袖寄せストラップ７を係止した構成を示している。この第５の実施形態を示す着物用アクセサリーホルダーＨ２は、係止手段となる孔部６に袖寄せストラップ７を予め固着した構成、あるいは、着脱自在に係止可能にしてもよい。【００８３】  図１３に示す袖寄せストラップ７において、装飾部材１１を取り付けた把持具１０は紐状部材８の端部に固着した例を示しているが、装飾部材１１を取り付けた把持具１０を紐状部材８に着脱可能に係止できる構成にしてもよい。このような構成にすると、予め、種々の装飾部材１１を固着した把持具１０を製造しておくことにより、着物装着者の好みの装飾部材１１を固着した把持具１０を、紐状部材８に着脱自在に係止することが可能になる。なお、前記したように、紐状部材８は装飾性を向上させるために、金糸または銀糸を含ませた部材、鎖状部材、あるいはライトストーンやキュービックジルコニア等を嵌め込んだ装飾性を有する部材を使用することがより好ましい。【００８４】  図１４、図１５は、上記した袖寄せストラップ７について、装飾部材１１を取り付けた把持具１０を着脱自在に係止可能とした把持具１０と、この把持具１０を係止した袖寄せストラップ７の構成例を示している。このうち、図１４は、把持具１０を構成する把持部材１０ａの基部に、強靭、かつ十分な屈曲性を備えた糸状の合成繊維等からなるリング部材１７を接続した把持具１０の構成を示している。そして、図１５は、袖寄せストラップ７の紐状部材８の端部に、図１４に示す把持具１０を着脱可能に係止したときの袖寄せストラップ７の一例を示している。【００８５】  図１５に示すように、袖寄せストラップ７を構成する紐状部材８の端部には、リング部材１８を一体に接続している。このリング部材１８は、リング部材１７と同様に、強靭、かつ十分な屈曲性を備えた糸状の合成繊維等から構成されている。そして、把持具１０に接続したリング部材１７の端部を、リング部材１８内に装入し、このリング部材１８を通過したリング部材１７内に、把持具１０を通すことにより、紐状部材８、すなわち、袖寄せストラップ７に、装飾部材１１を固着した把持具１０を着脱可能に係止することができるようになる。【００８６】  続いて、本発明の着物用アクセサリーホルダーの特徴となる他の構成について説明する。この特徴は、上記した把持具１０に、手鏡としての機能を持たせたことにある。この特徴を備えた把持具１０の一例を、図１６〜図１７に基づいて説明する。【００８７】  図１６、図１７は、ステンレス等の金属製の板材から成形された把持部材１０ａと１０ｂ、バネ部材１０ｃ、および連結部材１０ｄから構成された把持具１０を示している。そして、把持具１０の一方の把持部材１０ａ（または把持部材１０ｂ）の外側面に平坦部を設け、この平坦部に光を反射する鏡面部を設けたことに特徴がある。この鏡面部の構成としては、平坦部に光を反射する部材１９を接着剤等により一体に固着する手段を採用することができる。図１６（図１７）は、把持部材１０ｂの外側面に設けた平坦部に光を反射する部材１９を固着した例を示している。この光を反射する部材１９とは、光を反射することにより、鏡としての機能を備えている部材を示す。なお、図１６に示す把持具１０においては、その把持部材１０ａの基部１０ａ１に設けた孔部１０ｆを介して袖寄せストラップ７の紐状部材８が係止、または着脱自在に係止される。【００８８】  光を反射する部材１９としては、例えば、ポリカーボネイト等の合成樹脂製のフィルムにアルミニウム、またはクロムをスパッタリング等によりコーティングして、光を反射する機能を持たせたフィルムを使用することができる。そして、このフィルム部材（１９）を、把持部材１０ｂの外側面に形成されている平坦部のほぼ全面にわたってエポキシ樹脂等からなる接着剤により強固に固着する。これにより、把持具１０の把持部材１０ｂは、その外側の平坦部は光を反射する部材１９により、小さい手鏡としての機能を発揮させることが可能になる。【００８９】  なお、図１６〜図１７に示す例においては、把持部材１０ａ、１０ｂのうち、把持部材１０ｂの外側面の平坦部に光を反射するフィルム部材１９を取り付けた例を示しているが、把持部材１０ａ、１０ｂの双方の外側面にフィルム部材１９を取り付けてもよい。また、把持部材１０ａ、１０ｂのうち、その一方の外側の平坦部にフィルム部材１９を固着し、他方の外側面に装飾部材１１を取り付けるようにしてもよい。例えば、図１７に示す例では、一方の把持部材１０ｂの外側面に光を反射する部材１９を固着し、他方の把持部材１０ａの外側面に装飾部材１１を接着剤等により固着する。これにより、把持具１０に手鏡としての機能��、アクセサリーとしての機能を持たせることができるようになる。【００９０】  また、フィルム部材１９を固着する把持部材１０ｂ等の外側面の平坦部は、鏡面部としての機能を発揮させるために、精度の高い平面状態を備えていることが望ましい。従って、把持具１０の一実施形態であるピンチ等は、把持部材１０ｂ等の外側面の平坦部は精度の高い平面状態を有し、その面積および形状も小形の手鏡として機能を発揮するような仕様を備えたピンチを、本発明に用いる把持具１０として製作することが望ましい。【００９１】  なお、上記した光を反射する鏡面部を形成する手段としては、前記した光を反射する機能を有するフィルムの他に、少なくとも把持部材１０ｂ等の外側面の平坦部を含む領域に、電気メッキあるいは無電解メッキにより光を反射して鏡としての機能を備えるメッキ被膜、例えば、光沢を有するクロムめっき被膜を形成するようにしてもよい。また、把持部材１０ｂ等の外側面の平坦部に、ガラス製鏡部材を接着剤により強固に固着した構成にしてもよい。【００９２】  続いて、本発明の第６の実施形態を、図１８に基づいて説明する。第６の実施形態を示す着物用アクセサリーホルダーＨ３は、図６または図９に示す本発明の第３または第４の実施形態を示すホルダー本体１ｂまたは１ｃの孔部６に、前記した袖寄せストラップ７と、さらに、アクセサリーストラップ２０を係止した構成を示している。アクセサリーストラップ２０は、着物装着者が着物用アクセサリーホルダーＨ３のホルダー本体１ｂ（１ｃ）を巻帯の層間に挿入したときに、帯の前面に垂れ下げることによりアクセサリー効果を発揮させるために設けるものである。【００９３】  なお、本発明においては、図１８に示すように、ホルダー本体１ｂ（１ｃ）の孔部６に、予め袖寄せストラップ７とアクセサリーストラップ２０とを係止（固着）した状態で製造して販売してもよいし、あるいは、着物装着者が好みの袖寄せストラップ７とアクセサリーストラップ２０をホルダー本体１ｂ（１ｃ）の孔部６に着脱自在に係止するようにしてもよい。【００９４】  アクセサリーストラップ２０は、強靭かつ柔軟性を備えた合成繊維等からなる紐状部材２１と、この紐状部材２１の端部に接続された合成繊維等からなるリング部材２２と、紐状部材２１の要所に取り付けられた複数の装飾部材２３から構成される。この装飾部材２３は、図１８に示すような花模様からなる装飾部材の他に、例えば、装飾部材２３が揺れるたびに輝く素材、例えば、ライトストーンやキュービックジルコニアを嵌め込んだ珠状、花形、あるいはハート形をしたビーズ等を用いると、装飾効果をより高めることが可能になる。なお、アクセサリーストラップ２０の長さは、３ｃｍ〜２０ｃｍ程度でよい。【００９５】  図１８に示すアクセサリーストラップ２０においては、複数の装飾部材２３を紐状部材２１に固着した例を示しているが、これら複数の装飾部材２３を紐状部材２１に着脱自在に係止できるような構成にしてもよい。このような構成にすると、予め、種々の装飾部材２３を製造して販売することにより、着物装着者の好みにより、この装飾部材２３を紐状部材２１に着脱自在に係止することが可能になる。【００９６】  図１９および図２０は、上記したアクセサリーストラップ２０の紐状部材２１に、装飾部材２３を着脱自在に係止するための、装飾部材２３ａと紐状部材２１ａの構成例を示している。図１９に示す装飾部材２３ａは、装飾部材２３に一体に接続した紐状部材２４と、この紐状部材２４の端部にリング部材２５を接続した構成を示す。これら紐状部材２４とリング部材２５は、強靭かつ柔軟性を備えた合成繊維等を使用する。【００９７】  図２０に示す紐状部材２１ａは、リング部材２２の一端部に紐状部材２６を接続し、さらに、この紐状部材２６の端部にリング部材２７を接続した構成にしたものである。そして、図２０に示すように、紐状部材２１ａは、これら紐状部材２６とリング部材２７とをこの順序で複数組ほど直線状に接続した構成にしたものである。【００９８】  図２１は、上記した紐状部材２１ａのリング部材２７に、装飾部材２３ａを着脱自在に係止した状態を示すアクセサリーストラップ２０ａを示す。リング部材２７に装飾部材２３ａを係止するときには、装飾部材２３ａのリング部材２５を紐状部材２１ａのリング部材２７内に通し、このリング部材２７内を通過したリング部材２５内に装飾部材２３を通すことにより、アクセサリーストラップ２０ａに装飾部材２３ａを着脱自在に係止することができる。【００９９】  なお、アクセサリーストラップ２０の紐状部材２１に、装飾部材２３を着脱自在に係止する手段として、図１８に示す紐状部材２１を、図２２に示すような構成の紐状部材２８としてもよい。図２２に示す紐状部材２８は、その要所に所定の間隔をおいて貫通孔となる隙間２９が生じるように編み上げた構成、すなわち、組ひもの構成にした紐状部材を示している。そして、紐状部材２８に形成されている隙間２９に、装飾部材２３ａのリング部材２５を通すことにより、アクセサリーストラップ２０の紐状部材２８に、装飾部材２３ａを着脱可能に係止することが可能になる。【０１００】  上記した本発明の実施形態においては、袖寄せストラップ７、アクセサリーストラップ２０、２０ａをホルダー本体１ａ、１ｂ、１ｃ等に係止する係止手段として、ホルダー本体１ａ、１ｂ、１ｃの上端部近傍に孔部６を設けた例について説明した。本発明においては、この係止手段として、図２３、および図２５に示す手段を採用することもできる。【０１０１】  図２３は、本発明の第７の実施形態となるホルダー本体１ｄ示す。図２３に示す係止手段は、図２４に示すベース部材２の上端部近傍に孔部３０を設け、この孔部３０に、リング状部材からなる係止環３１を固着した連結部材３２を一体に接続した構成としたものである。そして、この係止環３１を、袖寄せストラップ７、およびアクセサリーストラップ２０等を係止、または着脱自在に係止する手段として使用する。なお、第７の実施形態において、リング状の係止環３１を、連結部材３２を介さないで孔部３０に直接接続した構成にしてもよい。【０１０２】  第７の実施形態は、図２４に示すベース部材２の全面を前記したカバー部材３により密着して覆うことにより、図２３に示すホルダー本体１ｄを製造することができる。このとき、係止環３１はカバー部材３の外側に露出させるようにする。なお、リング部材となる係止環３１は強靭な合成繊維製等の糸、あるいは金属から構成する。また、連結部材３２は、強靭な紐状の繊維、または微小な金属製リングを鎖状に接続した部材等を使用することができる。【０１０３】  なお、図２３においては、連結部材３２に係止環３１を１個接続した例を示しているが、２個以上の係止環３１を連結部材３２に、あるいは、孔部３０に接続してもよい。そして、２個の係止環を接続した場合には、一方の係止環３１に袖寄せストラップ７を、他方の係止環３１にアクセサリーストラップ２０等を係止、あるいは着脱自在に係止するようにする。【０１０４】  また、図２３に示すホルダー本体１ｄは、装飾性を有し、かつ、係止手段となる係止環３１に袖寄せストラップ７、あるいは、アクセサリーストラップ２０、２０ａを着脱可能に係止する機能を備え、商品としての価値を備えているので、本発明の着物用アクセサリーホルダーとして製造し販売することが可能になる。【０１０５】  なお、図２３に示す連結部材３２に係止環３１を接続した構成からなる係止手段は、図６または図９に示すポケット部１４を設けたホルダー本体１ｂ、１ｃの露出部１２ａ１に設けてもよい。【０１０６】  図２５は、本発明の第８の実施形態を示す。第８の実施形態は、カバー部材３の上端部近傍に、係止手段となる２個のリング状部材３３ａ、３３ｂを固着したホルダー本体１ｅを示している。リング状部材３３ａ、３３ｂをカバー部材３の上端部近傍に固着する方法は、カバー部材３にリング状部材３３ａ、３３ｂの一端部を糸で縫い合わせるか、あるいは、ベース部材２に微小な孔を１個または２個穿孔しておき、この微小な孔に糸を通すことによりカバー部材３にリング状部材３３ａ、３３ｂを、ベース部材２を介して縫い合わせる手段等を採用することができる。【０１０７】  リング状部材３３ａ、３３ｂをカバー部材３に固着する位置は、図２５に示すようにカバー部材３の表面側に固着するか、あるいは、カバー部材３の裏側に固着して、リング状部材３３ａと３３ｂの一部、例えば１／３〜１／２程度がカバー部材３の外側に露出させるようにしてもよい。また、図２５においては、カバー部材３の上端部近傍に２個のリング状部材３３ａ、３３ｂを固着した例を示したが、このリング部材は１個、あるいは３個以上取り付けてもよい。【０１０８】  図２６は、本発明の第９の実施形態を示す。第９の実施形態は、図６、図９に示すポケット部１４を設けたホルダー本体１ｂ、１ｃにおいて、孔部６を穿孔しないで、２個のリング部材３３ａ、３３ｂを係止手段として固着したホルダー本体１ｆを示している。このホルダー本体１ｆにおいては、外側に露出しているカバー部材１２ａ１の上端部近傍に２個のリング部材３３ａ、３３ｂを固着している。カバー部材１２ａ１の上端部近傍に２個のリング部材３３ａ、３３ｂを固着する方法は、上記したホルダー本体１ｆと同様な手段を採用することができる。なお、２個のリング部材３３ａ、３３ｂは、後側部材１２ｂの上端部近傍に固着してもよい。【０１０９】  本発明において、図２３に示す係止環３１の代わりに、図２７に示すような、ピンＰの操作により開閉自在な構成にされているフック３４を用いてもよい。フック３４を用いる場合には、フッ���３４に接続されている連結部材３２の端部を、ベース部材２の孔部３０に一体に接続するようにする。このようなフック３４を用いると、ピンＰの押圧操作により、袖寄せストラップ７、あるいはアクセサリーストラップ２０、２０ａをワンタッチでフック３４に着脱することが可能になる。特に、着物の袖をたくし上げる必要性が生じたときに、巻帯に差し込んだホルダー本体１ｂ、１ｃに袖寄せストラップ７をワンタッチで係止することができるという効果が生じる。【０１１０】  上記したホルダー本体１ｅ、１ｆは単体でも、装飾性を有し、かつ、リング部材３３ａ、３３ｂに袖寄せストラップ７、あるいは、アクセサリーストラップ２０、２０ａを着脱自在に係止する機能を備え、商品としての価値を有しているので、本発明の着物用アクセサリーホルダーとして製造し販売することが可能になる。【０１１１】  なお、図４、図１３、図１８に示す袖寄せストラップ７において、その紐状部材８の端部に接続する把持具１０は、紐状部材８に着脱自在に接続可能な構成にしてもよい。図２８は、袖寄せストラップ７に把持具１０を着脱自在に接続するための構成例を示す。図２８において、把持具１０の基部には金属製または紐状のリング部材１０ｅを設け、袖寄せストラップ７の紐状部材８の端部にはフック３４ａを固着している。フック３４ａは、ピンＰの操作により開閉自在な構成になっている。そして、袖寄せストラップ７に把持具１０を着脱可能に接続するときには、フック３４ａのピンＰを押圧操作してフック３４ａのリング部を開いて、把持具１０のリング部材１０ｅを通す。次に、ピンＰの押圧操作を開放する。これにより、袖寄せストラップ７に把持具１０をワンタッチで接続することができる。【０１１２】  また、図１６に示す光を反射する部材１９を備えた把持具１０において、把持部材１０ａの基部１０ａ１に孔部１０ｆ（図１６参照）を設け、例えば、この孔部１０ｆに上記したフック３４ａのリング部を開いて貫通させることにより、この手鏡の機能を有する把持具１０を袖寄せストラップ７にワンタッチで接続することができるようにしてもよい。【０１１３】  このように、袖寄せストラップ７について、把持具１０をワンタッチで着脱自在に接続可能な構成にすることにより、着物装着者は好みの装飾部材１１等を固着した把持具１０を使用することが可能になる。さらに、後記するように、袖寄せストラップ７からワンタッチで把持具１０を外し、把持具１０のみで袖をたくし上げる操作を行なうことも可能になる。【０１１４】  続いて、本発明の第１０の実施形態を、図２９に基づいて説明する。第１０の実施形態は、図６、図９に示すホルダー本体１ｂ、１ｃにおいて、ポケット部１４の下部に第２のポケット部３５を設け、さらに、このポケット部３５の入り口となる入口部３５ａは、ホルダー本体１ｂ、１ｃの側面部の一方に設けたホルダー本体１ｇを示している。【０１１５】  第２のポケット部３５の入り口となる入口部３５ａを、ホルダー本体１ｂ、１ｃの側面部に設ける理由は次の通りである。すなわち、第１のポケット部１４に鍵や口紅等を入れるとポケット部１４は若干前側に膨らむ。従って、第２のポケット部３５の入口をこのポケット部３５の上方に設���ると、他の小物の出し入れに支障が生じる可能性が生じる。このため、第２のポケット部３５の入り口となる入口部３５ａをホルダー本体１ｂ、１ｃの側面部に設けると、小物の出し入れが容易になるからである。なお、図２９において、ポケット部３５の入口部３５ａは、ホルダー本体１ｇの右側面部（紙面の右側位置）に配置した例を示しているが、ホルダー本体１ｇの左側面部に配置してもよい。【０１１６】  図６、図９に示すホルダー本体１ｂ、１ｃに第２のポケット部３５を設ける方法は、次のようにして行なうことができる。
上記した（手順５）において、第１カバー部材１２と第２カバー部材１３の周縁部を糸で縫い合わせるときに、第１のポケット部１４の入口となる入口部１４ａと第２のポケット部３５の入口となる入口部３５ａは、前側部材１２ａと糸で縫い合わせないようにする。また、第２のポケット部３５の底部３５ｂを形成するために、第２カバー部材１３と前側部材１２ａとを糸で縫い合わせて、第２のポケット部３５の底部３５ｂを形成する。なお、上記した第１０の実施形態において設けた第２のポケット部３５の入口部は、もちろん第１のポケット部１４と同様にポケットの上方部に設けてもよい。【０１１７】  続いて、本発明の第１１の実施形態を、図３０に基づいて説明する。第１１の実施形態は、上記した各ホルダー本体１ａ〜１ｇにおいて、例えば、その下端部を含む側面部に一つまたは複数のリング状部材３６を取り付けて、このリング状部材３６に着物装着者が所有しているネックレス等を係止可能にしたホルダー本体１ｈを示す。このように、ホルダー本体の側面部にリング状部材３６を取り付けると、着物装着者が所有しているネックレス等のアクセサリーを、前記したアクセサリーストラップ２０、２０ａの代わりとして、リング状部材３６内を通して係止し、このネックレス等を帯の前側等に垂れ下げることにより、装飾性を発揮させることが可能になる。【０１１８】  この第１１の実施形態においては、ネックレスに取り付けられている宝石等の装飾部材により、着物装着者の個性を発揮するために使用することが可能になる。なお、リング状部材３６は、金属製のリング部材、あるいは強靭な合成繊維製等の糸からなるリング部材を使用し、このリング部材を第１カバー部材１２または第２カバー部材１３の側面部に取り付けるようにする。【０１１９】  なお、リング状部材３６にネックレスを係止する方法は、例えば、ネックレスの鎖部材を、係止リング３６内を通すことにより係止する。また、任意の複数の係止リング３６内にネックレスの鎖部材を通すことにより、ホルダー本体１ｈに係止したネックレスが下方に垂れ下がる長さを調節することが可能になる。そして、ネックレスを係止したホルダー本体１ｈを巻帯の層間に挿入すると、このネックレスを帯の前面側等に垂れ下がるようにして、アクセサリー効果が発揮できるようにする。【０１２０】  続いて、本発明の着物用アクセサリーホルダーについて、その着用と使用方法を図３１〜図３５に基づいて説明する。【０１２１】  まず、図３１に示すように、着物を装着した後、袖寄せストラップ７、アクセサリーストラップ２０等を係止したホルダー本体１ａ、１ｂ等（図３１では１ｂと表示）を、みぞおちを避け、胸の中央前面よりやや左側、あるいは右側に、ホルダー本体１ｂ等の長手方向がほぼ垂直向き、かつ、ホルダー本体１ｂに設けた孔部６等の係止手段が上側になるようにして、帯３７の上方部から巻帯の層間に差し込む。このとき、巻帯の層間に差し込んだホルダー本体１ｂの下方部３ａが帯締め３８ａの位置から若干下方に挿入されるようにする。また、ポケット部１４等に必要とする小物を入れておく場合には、予めこの小物をポケット部１４等に入れた後に、ホルダー本体１ｂを巻帯の層間に差し込むようにす��。なお、図３１に示す３８ｂは帯揚げを示す。【０１２２】  ホルダー本体１ｂに袖寄せストラップ７、アクセサリーストラップ２０等が着脱可能な構成になっている着物用アクセサリーホルダーＨ３を使用する場合には、ホルダー本体１ｂを帯３７の巻帯の層間に差し込む前に、ホルダー本体１ｂの係止手段（孔部６等）にこれら袖寄せストラップ７とアクセサリーストラップ２０等を予め係止しておくようにする。帯３７は、帯締め３８ａにより締め付けられているので、帯３７の層間に差し込んだホルダー本体１ｂは、帯３７の層間から抜け落ちることはない。【０１２３】  なお、ホルダー本体１ｂを巻帯の層間に差し込んだ後、袖寄せストラップ７を使用する必要がないとき、すなわち、袖をたくし上げる必要がないときには、この袖寄せストラップ７は巻帯の層間に挿入した状態にしておくか、ポケット部１４または第２のポケット部３５に把持具１０と共に挿入して外から見えないようにする。【０１２４】  一方、アクセサリーストラップ２０は、図３１に示すように、帯３７の表側面に沿って垂れ下がるようにして、その装飾効果を発揮させる。特に、着物装着者の歩行等によりアクセサリーストラップ２０は若干揺れるので、例えば、ライトストーンやキュービックジルコニア等を嵌め込んだ装飾部材２３を用いると、装飾効果をより発揮させることができるようになる。【０１２５】  化粧室等において前屈みになるとき、あるいは階段を昇り降りするときは、左右の袖（特に振袖）３９の下端部３９ａが床面に触れて、下端部３９ａを汚す可能性が生じる。このとき、この汚れを防止するために、着物装着者は、本発明の着物用アクセサリーホルダーを構成する袖寄せストラップ７を用いて、袖３９をたくし上げる操作を行なう。【０１２６】  着物装着者が袖寄せストラップ７を用いて、袖３９をたくし上げる操作は、例えば、下記の（操作１）〜（操作３）に記載の手順により行なうことができる。【０１２７】（操作１）
まず、帯３７の巻帯の層間、またはポケット部１４、あるいは第２のポケット部３５に差し込んでおいた袖寄せストラップ７を外に取り出す。【０１２８】（操作２）
続いて、図３２に示すように、左右の手でそれぞれの袖３９の袂を掴む。そして、袖３９を掴んだ両手を図３３に示すよう身体の前側に持ち（たくし）上げて、一方の手の指先で袖寄せストラップ７に接続されている把持具１０を掴む。次に、図３３に示すように、把持具１０の基部を指先で押圧してたくし上げた左右の袖３９、３９の端部、あるいは袂を把持具１０により挟着する。これにより、両手を開放しても、たくし上げた左右の袖３９の下端部は適度な長さを有する袖寄せストラップ７によりその位置で身体の前側の上方部に保持された状態になるので、左右の袖３９、３９の下端部は床に触れることがなくなる。【０１２９】  なお、この操作２において、把持具１０で挟着した袖３９、３９を手で持ち上げて、把持具１０により袖３９、３９を帯（巻き帯）３７の上線部に挟着してもよい。【０１３０】  上記した操作２により、たくし上げた左右の袖３９の下端部は身体の前側の上方部に保持された状態になる。これにより、図３４に示すように、例えば、手荷物を持って駅の階段の昇り降り時に、左右の袖３９の下端部３９ａが床面に触れて汚す心配はなくなる。【０１３１】（操作３）
たくし上げた左右の袖３９を元に戻すときは、把持具１０により把持した左右の袖３９の端部を、把持具１０の基部を押圧して外す操作を行なう。続いて、袖寄せストラップ７を、帯３７の巻帯の層間に挿入するか、あるいはホルダー本体１ｂのポケット部１４、３５等に挿入して外から見えないようにする。【０１３２】  上記した（操作１）〜（操作３）においては、左右の袖３９を着物装着者の身体の前側にたくし上げる方法について説明したが、図３５に示すように身体の後側に左右の袖３９をたくし上げる操作を行なうようにすることもできる。この操作は、例えば、次のようにして行なうことができる。なお、この操作を行なうときには、図２８に示すような把持具１０を着脱自在に係止した袖寄せストラップ７を使用する。そして、左右の袖３９をたくし上げる前に、この把持具１０を袖寄せストラップ７から外し、外した把持具１０を帯３７の上端部に止めておく。【０１３３】  まず、図３２に示すように、左右の手でそれぞれの袖３９の端部または袂を掴む。続いて、掴んだ袖を身体の後側に回して、一方の手で両方の袂を掴む。次に、他方の手で把持具１０を掴んで、これら両方の袖３９の端部を、帯３７の上端部に止めておいた把持具１０で把持する。これにより、図３５に示すように、左右の袖３９の袖口は身体の後側に引かれるので、洗面所で手を洗う時に袖や袖口に水がかかる心配がなくなり、さらに、前かがみになっても左右の袖３９の下端部３９ａが床面に触れて汚す心配がなくなる。【０１３４】  また、椅子に座って食事をするときにも、本発明の着物用アクセサリーホルダーの機能を有効に活用することができる。この場合には、胸元にナプキンまたはハンカチを広げる。そして、ナプキンまたはハンカチを袖寄せストラップの把持具１０を用いて着物の衿元に挟着する。これにより、ナプキンまたはハンカチは胸元からずり落ちることがなくなるので、食事中に衿元等を汚すことを防止できる。さらに、このとき、把持具１０に装飾部材１１を備えている把持具１０を使用することにより、把持具１０を違和感なくブローチ感覚で使用することができる。さらに、把持具１０として図１６（図１７）に示すような光を反射するフィルム部材１９等を備えた手鏡としての機能を備えている把持具を使用することにより、食事後に口元のチェックをスマートに行なうことができる。【０１３５】  さらに、本発明の着物用アクセサリーホルダーは、前記したようにポケット部１４、３５等を設けているので、このポケット部１４、３５に、乗車カード等の各種のカード類、切符、小銭、鍵、リップグロス、等の小物を入れておくことができる。これにより、着物装着時に煩わしいハンドバッグ等の開け閉めを行なう操作を少なくすることが可能になる。なお、ポケット部１４、３５に小物を入れて利便性を向上させるために、図１に示すホルダー本体の幅寸法Ｗ１、Ｗ２、および長さＬについて、それぞれ用途に合わせた寸法値を有する複数種のホルダー本体１ｂ、１ｃ等を予め製造しておくようにするとよい。【０１３６】  また、袖寄せストラップ７として、光を反射する部材が取り付けられた把持具１０を備えた着物用アクセサリーホルダーを帯３７の層間に挿入した場合、袖をたくし上��る必要がないときには、この把持具１０を帯３７の上端部に把持させておくことにより、何時でも素早くこの把持具１０を手鏡として利用できるという利便性が向上する。この場合、一方の把持部材を鏡面部とし、他方の把持部材に装飾部材１１を固着した把持具１０を使用し、この把持具１０を帯３７の上端部に把持させたときにこの装飾部材１１が前方に向くようにすると、違和感なく把持具１０を帯３７に挟着させておくことができる。【０１３７】  さらに、本発明の着物用アクセサリーホルダーは、その係止手段となる孔部６、あるいは係止環３１、リング部材３３ａ、３３ｂ等に、複数のアクセサリーストラップ２０等、および携帯電話機を着脱可能に接続することもできる。そして、携帯電話機を使用しないときには、この携帯電話機を巻帯の層間に差し込んでおくことができるので、一層利便性が向上した着物の袖寄せホルダーを提供することができる。【０１３８】  さらに、本発明の着物用アクセサリーホルダーは、前記したように、ホルダー本体１ａ〜１ｈ単体でも商品としての価値を有しているので、ホルダー本体１ａ〜１ｈを単体で製造し販売することが可能になる。また、これら各ホルダー本体１ａ〜１ｈに、上記した構成の袖寄せストラップとアクセサリーストラップの一方、あるいは双方を係止、または固着した状態で製造し販売することが可能になる。【０１３９】  上記した本発明の実施形態においては、把持具１０に光を反射する部材を固着、あるいはメッキ被膜等を形成することにより、把持具１０を小さい手鏡としての機能を備えた例について説明したが、本発明の着物用アクセサリーホルダーは、次のような構成にして手鏡としての機能を発揮させてもよい。すなわち、上記したホルダー本体１ａ〜１ｈ等のカバー部材の一方の表面平坦部（例えば、裏面側）に光を反射するフィルム部材等を接着により固着し、ホルダー本体を手鏡としての機能を備えるようにする。【０１４０】  また、本発明の着物用アクセサリーホルダーは、着物の他に、洋服を着用したときにも使用することができる。例えば、ホルダー本体１ａ〜１ｈ等にアクセサリーストラップ２０、あるいは２０ａのみを係止した着物用アクセサリーホルダーを、洋服を着用したときのベルトの下に、あるいはポケット等の任意の位置に挿入する。これにより、洋服着用時においても、アクセサリーストラップ２０、２０ａによりアクセサリー効果を発揮させることが可能になる。
【図面の簡単な説明】
【０１４１】
【図１】  本発明の第１の実施形態を説明するための正面図である。
【図２】  図１のＡ−Ａ線の拡大断面図である。
【図３】  図１に示す第１の実施形態に用いているベース部材の形状を示す平面図である。
【図４】  本発明の第２の実施形態を説明するための正面図である。
【図５】  図４に示す本発明の第２の実施形態を構成する把持具について、他の実施形態を説明するための平面図である。
【図６】  本発明の第３の実施形態を説明するための正面図である。
【図７】  図６のＢ−Ｂ線の拡大断面図である。
【図８】  図６に示す第３の実施形態について、他の構成例を説明するためのＢ−Ｂ線の拡大断面図である。
【図９】  本発明の第４の実施形態を説明するための正面図である。
【図１０】  図９のＣ−Ｃ線の拡大断面図である。
【図１１】  図１０に示す第１ベース部材の形状を示す平面図である。
【図１２】  図１０に示す第２ベース部材の形状を示す平面図である。
【図１３】  本発明の第５の実施形態を説明するための正面図である。
【図１４】  図１３に示す本発明の第５の実施形態を構成する把持具について、他の実施形態を説明するための平面図である。
【図１５】  図１３に示す本発明の第５の実施形態を構成する袖寄せストラップについて、他の実施形態を説明するための平面図である。
【図１６】  袖寄せストラップを構成する把持具について、他の実施形態を説明するための平面図である。
【図１７】  図１６に示す把持具の側面図である。
【図１８】  本発明の第６の実施形態を説明するための正面図である。
【図１９】  図１８に示す本発明の第６の実施形態を構成するアクセサリーストラップに用いている装飾部材について、他の実施形態を説明するための平面図である。
【図２０】  図１８に示す本発明の第６の実施形態を構成するアクセサリーストラップに用いている紐状部材について、他の実施形態を説明するための平面図である。
【図２１】  図１８に示す本発明の第６の実施形態を構成するアクセサリーストラップについて、他の実施形態を説明するための平面図である。
【図２２】  図１８に示す本発明の第６の実施形態を構成するアクセサリーストラップに用いている紐状部材について、他の実施形態を説明するための部分平面図である。
【図２３】  本発明の第７の実施形態を説明するための平面図である。
【図２４】  図２３に示す第７の実施形態について、ベース部材に設けた他の係止手段を説明するための平面図である。
【図２５】  本発明の第８の実施形態を説明するための平面図である。
【図２６】  本発明の第９の実施形態を説明するための平面図である。
【図２７】  図２３に示す係止環について、他の実施形態を説明するための部分平面図である。
【図２８】  本発明を構成する袖寄せストラップについて、把持具を着脱自在に接続するための構成例を説明するための図である。
【図２９】  本発明の第１０の実施形態を説明するための平面図である。
【図３０】  本発明の第１１の実施形態を説明するための平面図である。
【図３１】  着物装着者が、本発明の着物用アクセサリーホルダーを巻帯の層間に挿入した状態を説明するための図である。
【図３２】  図３１において、本発明の着物用アクセサリーホルダーを用いて袖をたくし上げる操作を説明するための写真図である。
【図３３】  同じく、本発明の着物用アクセサリーホルダーを用いて袖をたくし上げる操作を説明するための写真図である。
【図３４】  本発明の着物用アクセサリーホルダーを用いて袖をたくし上げた後に、歩行している状態を説明するための写真図である。
【図３５】  本発明の着物用アクセサリーホルダーを用いて、袖をたくし上げるための他の操作を説明するための写真図である。
【符号の説明】
【０１４２】  １ａ、１ｂ、１ｃ、１ｄ、１ｅ、１ｆ、１ｇ、１ｈ：ホルダー本体
２  ：ベース部材
３  ：カバー部材
６  ：孔部（係止手段）
７  ：袖寄せストラップ
８  ：紐状部材
９  ：リング部材
１０  ：把持具
１１  ：装飾部材
１２  ：第１カバー部材
１３  ：第２カバー部材
１４  ：ポケット部
１４ａ：入口部
１５ａ：第１ベース部材
１５ｂ：第２ベース部材
１６  ：第２カバー部材
１９  ：光を反射するフィルム部材
２０、２０ａ：アクセサリーストラップ
２１  ：紐状部材
２２  ：リング部材
２３  ：装飾部材
３１  ：係止環
３３ａ、３３ｂ：リング状部材
３５  ：第２のポケット部
３５ａ：入口部
３６  ：リング状部材
３７  ：帯
３９  ：袖
Ｈ１、Ｈ２、Ｈ３：着物用アクセサリーホルダー
【図１】
2008055116.tif 000003
【図２】
2008055116.tif 000004
【図３】
2008055116.tif 000005
【図４】
2008055116.tif 000006
【図５】
2008055116.tif 000007
【図６】
2008055116.tif 000008
【図７】
2008055116.tif 000009
【図８】
2008055116.tif 000010
【図９】
2008055116.tif 000011
【図１０】
2008055116.tif 000012
【図１１】
2008055116.tif 000013
【図１２】
2008055116.tif 000014
【図１３】
2008055116.tif 000015
【図１４】
2008055116.tif 000016
【図１５】
2008055116.tif 000017
【図１６】
2008055116.tif 000018
【図１７】
2008055116.tif 000019
【図１８】
2008055116.tif 000020
【図１９】
2008055116.tif 000021
【図２０】
2008055116.tif 000022
【図２１】
2008055116.tif 000023
【図２２】
2008055116.tif 000024
【図２３】
2008055116.tif 000025
【図２４】
2008055116.tif 000026
【図２５】
2008055116.tif 000027
【図２６】
2008055116.tif 000028
【図２７】
2008055116.tif 000029
【図２８】
2008055116.tif 000030
【図２９】
2008055116.tif 000031
【図３０】
2008055116.tif 000032
【図３１】
2008055116.tif 000033
【図３２】
2008055116.tif 000034
【図３３】
2008055116.tif 000035
【図３４】
2008055116.tif 000036
【図３５】
2008055116.tif 000037